(57)【要約】【課題】建築現場において露出されている複数本のパイプ建地（垂直材）の長手方向に被覆して保護するのに用いる保護カバーに関し、特に人にぶつかった場合であってもその人に打撲、裂罅等の傷を負わせることがなく、しかも強度に優れ再利用可能なパイプ等の保護カバーの提供にある。【解決手段】パイプを覆うためのパイプ用保護カバーであって、  保護部材と、  前記パイプに取り外し可能に装着できる複数のフックと、  前記フックは、前記保護部材に移動可能に固定されることを特徴とするパイプ用保護カバー。【選択図】図１
2020197109.tif 000002
【特許請求の範囲】
【請求項１】
パイプを覆うためのパイプ用保護カバーであって、
保護部材と、
前記パイプに取り外し可能に装着できる複数のフックと、
前記フックは、前記保護部材に移動可能に固定されることを特徴とするパイプ用保護カバー。
【請求項２】
前記フックは、前記パイプに挟持されるフックアームと、フック位置決め手段を有するフック台座とを有することを特徴とする請求項１に記載のパイプ用保護カバー。
【請求項３】
前記保護部材は、前記フック台座に係合するスライド溝が形成され、前記フック台座が前記スライド溝に沿って移動可能であることを特徴とする請求項１又は２に記載のパイプ用保護カバー。
【請求項４】
前記保護部材は、前記フック台座に係合するガイド溝が形成され、前記ガイド溝により、前記フック台座の半径方向の位置決めができることを特徴とする請求項１乃至３のいずれか一項に記載のパイプ用保護カバー。
【請求項５】
前記フック台座は、前記スライド溝に係合可能で衝撃吸収部を有することを特徴とする請求項１乃至４のいずれか一項に記載のパイプ用保護カバー。
【発明の詳細な説明】
【技術分野】
【０００１】  作業用に設置されたパイプの露出部と人とが接触した際の人に対する衝撃を和らげるパイプ用保護カバーに関する。
【背景技術】
【０００２】  従来から利用される保護カバーとして、軟質材料をパイプの周囲に丸めて紐で縛る緩衝材が知られている。緩衝材の材質としては発泡ポリエチレンやポリエチレンが使われている。例えば、特許文献１、２に開示される管体保護カバーが開示されている。
【先行技術文献】
【特許文献】
【０００３】
【特許文献１】公開実用  昭和６２−１６８８９
【特許文献１】公開実用  昭和６２−１６８８８
【発明の概要】
【発明が簡単に解決しようとする課題】
【０００４】  これまでの保護カバーはパイプに取付ける時に手間が掛かり、軟質な素材のため一度使用するとシートが裂け再利用できなかった。
そこで、本発明は、パイプに取り外し可能に装着できるパイプ用保護カバーを提供することを目的とする。
【課題を解決するための手段】
【０００５】  パイプを覆うためのパイプ用保護カバーであって、
保護部材と、
前記パイプに取り外し可能に装着できる複数のフックと、
前記フックは、前記保護部材に移動可能に固定されることを特徴とするパイプ用保護カバー。
【発明の効果】
【０００６】  前記パイプ用保護カバーによれば、取り外し可能なフックを備えるので、再使用が可能で、コスト削減となり、取付けに手間が省け、また取外しが簡単になる。
【図面の簡単な説明】
【０００７】
【図１】実施形態に係るパイプ用保護カバーの正面を示す斜視図である。
【図２】（Ａ）は、パイプ用保護カバーの裏面を示す斜視図であり、（Ｂ）は、フック３を示す斜視図である、（Ｃ）は、保護部材の溝の一部を拡大して示す拡大斜視図である。
【図３】パイプ用保護カバーの裏面を示す裏面図である。
【図４】図３のＡ−Ａ断面図である。
【図５】図３のＢ−Ｂ断面図である。
【図６】パイプ用保護カバーを単管パイプに装着された使用状態を示す参考図である。
【発明を実施するための形態】
【０００８】  以下、好適な実施例について図面を参照しながら詳述する。図１は、実施形態に係るパイプ用保護カバーの正面を示す斜視図、図２Ａは、パイプ用保護カバーの裏面を示す斜視図、図２Ｂは、フック３を示す斜視図、図２Ｃは保護部材の溝の一部を拡大して示す拡大斜視図、図３は、パイプ用保護カバーの裏面を示す裏図面、図４は図３のＡ−Ａ断面図、図５は図３のＢ−Ｂ断面図、図６はパイプ用保護カバーをパイプに装着された使用状態を示す参考図である。
【０００９】  図１は、実施形態に係るパイプ用保護カバーの正面を示す斜視図であり、１は工事場の建地（垂直材）のパイプに人間がぶつかる時の衝撃を和らげるための保護カバーであって、この保護カバー１は保護部材２とフック３とから成る。
【００１０】  保護部材２は樹脂による押出成形等の手法により一体成形されており、パイプ６の外形を覆うように半円筒形長尺の形状をしている。図１ではパイプ６を保護カバー１に取り付ける状態を破線で示している。内側にはフック３を任意の位置に固定するための内部フック取り付け溝９とスライド溝１０が構成されている。（図２参照）
フック３は保護部材２とは別部材に構成され複数個用いる。
【００１１】  図２で示すようにフック３はパイプ６に取り付ける為に有り、円弧状に湾曲しているアーム部位３ａと、その下部に垂直につながるフック脚部３ｂと、フック脚部３ｂの基部と直角に交わるフック台座３ｃと、フック台座３ｃの外縁部３ｄから成り、これら部位は全て一体成形されている。
【００１２】  蝶ボルト４を緩めることによりフック３が内部フック取り付け溝９とスライド溝１０内を長手方向７及び８方向にスライドし、蝶ボルト４を締め付けることにより任意な位置に固定される。
【００１３】  図４にも示すように、フックのアーム部位３ａは柔軟性があり、円弧の開口部を単管パイプ６の円周半分以上を覆う形まで強く押し付けることによりフックのアーム部位３ａの円弧の開口部内側にパイプ６が堅固に固定される。
【００１４】  フック台座外縁３ｄと取り付けナット５は保護部材２内周面にあるスライド溝９と内側フック取り付け溝１０内部を長手方向７及び８方向にスライド移動できる。その詳細は図２で説明する。
図２において、
（Ａ）は、パイプ用保護カバーの裏面を示す斜視図である。
【００１５】      （Ｂ）は、フック３を示す斜視図である。
【００１６】      （Ｃ）は、保護部材の溝の一部を拡大して示す拡大斜視図である。
【００１７】  図２に基づいて、この保護カバー１のパイプ６への使用状態を説明する。図２（Ｂ）は一体成形されたフックアーム部３ａ、フック脚部３ｂ、フック台座部３ｃ、フック台座外縁３ｄと、保護部材２への取り付け部材である蝶ボルト４、取り付けナット５を示している。又図２（Ｃ）は保護部材２の内周面にある内部フック取り付け溝９とスライド溝１０の位置を示している。
【００１８】  先ず、図２（Ｂ）が示すように、フック台座部３ｃの穴に蝶ボルト４を挿入しフック台座３ｃを挟む形で台座３ｃの反対側から取り付けナット５で締める。図２ではフック二個を用いた例で説明したが、必要に応じて二個以上で使用することもできる。
【００１９】  次にフック台座３ｃを内部フック取り付け溝９に差し込むが、この時同時に取り付けナット５もスライド溝１０に差し込み蝶ボルト４を時計回り方向に締めることによりフック３が保護部材２に固定される。
【００２０】  パイプ６に保護カバー１が安定して堅固に固定するように、図２（Ａ）が示すようにフック３を内部フック取り付け溝９とスライド溝１０の中に長手方向に２個以上取り付ける。
【００２１】  ２個以上のフック３を取り付け後、フックアーム３ａの円弧の開口部をパイプ６の円周半分以上を覆うまで強く押し付けることによりフックアーム部３ａの円弧の開口部内側にパイプ６を堅固に固定させる。
【００２２】  フックの蝶ボルト４を緩めることに依りフック台座３ｃと取り付けナット５はそれぞれ保護部材２の内周面にある内部フック取り付け溝９及びスライド溝１０内を滑らかにスライドして、フック３を長手方向１１又は１２へ移動できる。
【００２３】  図１で示すように、フック３は保護部材２の内周面に位置する内部フック溝９とスライド溝１０に沿って長手方向７又は８へ移動できる。
【００２４】  図２でも示すように、このようにフック３を長手方向１１又は１２へ移動させることにより、足場のパイプ６にくさびポケット１４等（図６参照）のフックアーム３ａに干渉する障害物が有る場合でもそのような障害物を避けた位置でフックアーム３をパイプ６に固定することができる。
【００２５】  図３は、本発明の保護部材にフックが取り付けられていることを示す。
保護部材２の内周面の内部フック取り付け溝９とスライド溝１０にフック３が取り付けられた図である。
【００２６】  フック台座３ｃは蝶ボルト４と取り付けナット５により上下から挟み締められている。フック台座３ｃの裏側に位置する取り付けナット５は蝶ボルト４によりフック台座３ｃの表側から締められており、内側フック取り付け溝１０の中に固定されている。
【００２７】  蝶ボルト４を反時計回り方向に回すことにより蝶ボルト４とスライド溝１０の中に固定されているフック３を長手方向へ任意な位置までスライド移動できる。そして必要な位置で蝶ボルト４を時計回り方向に回すことによりフック３を保護部材２の内周面に堅固に固定することができる。
【００２８】  図４は、タテ方向Ａ−Ａ断面図を示し、保護部材２の内周面にある内部フック取り付け溝９とスライド溝１０の位置を示す。
【００２９】  内側フック取り付け溝９に挿入されたフックの台座３ｃの位置を示す。
スライド溝１０に挿入され蝶ボルト４によって締められ固定された取り付けナット５の位置を示す。
【００３０】  保護部材２、蝶ボルト４、取り付けナット５、内部フック取り付け溝９、スライド溝１０、フック３、フックアーム３ａ、フック脚部３ｂ、フック台座３ｃ、フック台座外縁３ｄの位置関係を示す。
【００３１】  破線６はフックアーム３ａに取り付けられたパイプを示す。
【００３２】  図５は、横方向Ｂ−Ｂ断面図を示し、フック３が保護部材２の内周面にある内部フック取り付け溝９とスライド溝１０に沿って長手方向７及び８へスライドする様子を示す横方向Ｂ−Ｂ断面図。
【００３３】  保護部材２内周面下部に位置するスライド溝１０の中の取り付けナット５の位置と取り付けナット５を蝶ボルト４で挟んだフック台座３ｃとフック脚部３ｂとフックアーム３ａの位置関係を示す。
【００３４】  蝶ボルト４を反時計回り方向へ回して緩めることにより取り付けナット５がスライド溝１０内を、又同時にフック台座３ｃが内部フック取り付け溝９内を長手方向７及び８方向へ、フック３をパイプ６の任意な位置までスライド移動することができる。
【００３５】  フック３をパイプ６の任意な位置まで長手方向７及び８方向へスライド移動したら、蝶ボルト４を時計回り方向へ回して取り付けナット５と締め付けることによりフック３を保護部材２内周面の任意な位置に固定させる。
【００３６】  図６は、本発明の保護カバーを使用していることを示す参考図である。
さらに、建地（垂直材）のパイプ６に取付けられた保護カバー２の使用状態を示す。
【００３７】  フックアーム３ａの円弧の開口部をパイプ６の円周半分以上を覆う形まではめ込んで固定させた状態を示す。（図４参照）
この保護カバー２に人がぶつかった場合であっても、その衝撃力を保護カバー２が緩衝し、その人に打撲や裂か傷等の傷を負わせることが少ない。更に保護カバー２を黄色と黒のトラ模様にすると遠くからでも目に付き、人の注意をひくことができ安全に工事等を行うことができる。
【００３８】  更に保護カバー２に例えば工事中・頭上注意等の注意を喚起する表示をすることにより遠くからでも目に付き、人の注意をひくことができ、安全に工事等を行うことができる。
又、保護カバー２に企業名や商品名等を表示することにより、企業宣伝や商品宣伝にも利用可能である。
【００３９】  参考図が示すように，建地のパイプ６にフック３を取り付ける時に障害となる、パイプのクサビポケット１４等の出っ張りを避けた位置にフック３の取り付け位置を調整することが可能である。フック３を長手方向７又は８方向の任意位置へスライド移動させる方法は図１〜図５の説明文で詳細に述べられている。
【符号の説明】
【００４０】１  保護カバー
２  保護部材
３  フック
３ａ  フックアーム
３ｂ  フック脚部
３ｃ  フック台座
３ｄ  フック台座外縁
４  蝶ボルト
５  取り付けナット
６  パイプ
７  長手方向へのスライド
８  長手方向へのスライド
９  内部フック取り付け溝
１０  スライド溝
１１  フックの長手方向へのスライド
１２  フックの長手方向へのスライ
１３  取り付け穴
１４  クサビポケット
【図１】
2020197109.tif 000003
【図２】
2020197109.tif 000004
【図３】
2020197109.tif 000005
【図４】
2020197109.tif 000006
【図５】
2020197109.tif 000007
【図６】
2020197109.tif 000008